(57)【要約】【課題】足場支持金具が吊り下げられるコンクリート型枠側の水平端材として、規定サイズの角鋼管ではなく、小径の丸鋼管が使用されるときに、足場板支持用の水平部材が先端下がりに傾斜するのを回避して、安全性を高める。【解決手段】足場板支持用の水平部材２、この水平部材の基端部に軸支されて揺動自在に垂下する縦向き部材４、水平部材２と縦向き部材４とを斜めに連結する有効長変更可能な斜め支持部材５、及び水平部材２の基端部に軸支されたコの字形の嵌合部材６から成り、斜め支持部材５は、伸縮自在に嵌合する二重管７と、この二重管７の有効長を複数段階に変更固定する係止手段８とから構成されている足場支持金具１において、縦向き部材４に対する嵌合部材６の角度の変化に対応して、水平部材２を水平姿勢に近づけるための水平部材角度微調整手段２４が設けられた構成。【選択図】図１
2019060187.tif 000002
【特許請求の範囲】
【請求項１】
足場板支持用水平部材と、この水平部材の基端部に軸支されて当該水平部材の長さ方向に揺動自在に垂下する縦向き部材と、前記水平部材と前記縦向き部材とを斜めに連結する有効長変更可能な斜め支持部材、及び前記水平部材の基端部に前記縦向き部材と同方向に回転自在に軸支されたコの字形の嵌合部材から成り、前記斜め支持部材は、伸縮自在に嵌合する二重管と、この二重管の有効長を複数段階に変更固定する係止手段とから構成されている足場支持金具において、前記縦向き部材に対する前記嵌合部材の角度の変化に対応して前記水平部材を水平姿勢に近づけるための水平部材角度微調整手段が設けられている、足場支持金具。
【請求項２】
前記斜め支持部材の係止手段は、二重管の一方に設けられた１つの主係止孔と、二重管の多方に長さ方向適当間隔おきに設けられた複数の副係止孔と、主係止孔とこれに合致させた１つの副係止孔とにわたって着脱自在に挿入される係止ピンとから成り、前記水平部材角度微調整手段は、前記二重管の一方に、主係止孔に対して前記副係止孔の間隔とは異なる間隔で追加された第二主係止孔によって構成されている、請求項１に記載の足場支持金具。
【請求項３】
前記水平部材角度微調整手段は、前記二重管と前記縦向き部材又は水平部材とを連結する着脱自在な連結軸と、この連結軸が挿通される前記二重管側の軸孔として、前記副係止孔の間隔とは異なる間隔で設けられた２つの軸孔から構成されている、請求項１に記載の足場支持金具。
【請求項４】
前記水平部材角度微調整手段は、前記嵌合部材が嵌合するコンクリート型枠側の水平端太材より下側にあって前記縦向き部材を受け止める下側水平端太材と前記縦向き部材との間に介在させるスペーサーから構成されている、請求項１に記載の足場支持金具。
【請求項５】
前記スペーサーは、前記斜め支持部材の連結箇所より上側で前記縦向き部材に昇降自在に外嵌する可動部材と、この可動部材に連設されて前記下側水平端太材の上に載置される張出し部材とから構成されている、請求項４に記載の足場支持金具。
【発明の詳細な説明】
【技術分野】
【０００１】
本発明は、特に傾斜したコンクリート型枠の外側に仮設足場を構築する際に利用出来る足場支持金具に関するものである。
【背景技術】
【０００２】
上記のように傾斜したコンクリート型枠の外側に仮設足場を構築する際に利用出来る足場支持金具としては、特許文献１に記載されるように、足場板支持用水平部材と、この水平部材の基端部に軸支されて当該水平部材の長さ方向に揺動自在に垂下する縦向き部材と、前記水平部材と前記縦向き部材とを斜めに連結する有効長変更可能な斜め支持部材、及び前記水平部材の基端部に当該水平部材と前記縦向き部材とを含む平面に沿って回転自在に軸支されたコの字形の嵌合部材から成るものが知られている。ここでコンクリート型枠の傾斜角度は、予め設定された複数段階の角度から選択されたものである、前記斜め支持部材の有効長を無段階に調整出来るように構成する必要はなく、伸縮自在に嵌合する二重管と、この二重管の有効長を複数段階に変更固定する係止手段とから構成されているのが一般的である。
【先行技術文献】
【特許文献】
【０００３】
【特許文献１】特開２００６−３１６５８１号公報
【発明の概要】
【発明が解決しようとする課題】
【０００４】
上記のような構成の従来の足場支持金具では、コンクリート型枠が備える上下複数段の水平端太材の内、この足場支持金具の前記縦向き部材の上端部が受け止められる１つの水平端太材、又は上下に隣接するように配置された上下２段の水平端太材に、前記嵌合部材を上から嵌合させるのであるから、これら水平端太材が前記嵌合部材の内巾に適合した巾のものであれば問題ないが、その適合する巾よりも大巾に狭い巾の水平端太材であるとき、前記嵌合部材が回転自在なものであるため、前記嵌合部材が縦向き部材に対して回転した傾斜姿勢で安定することになる。この結果、水平部材を軸支している上端部がコンクリート型枠から離れる方向に縦向き部材が傾動し、水平部材が先端下がりに傾斜してしまうことになって、足場板を水平に支持することが出来なくなる。勿論、前記嵌合部材を縦向き部材に固着してしまうと、このような現象は生じないが、嵌合部材を回転自在に軸支することにより、この足場支持金具を保管したり運搬する場合に、コンパクトに折り畳むことが出来るばかりでなく、特許文献１にも記載されるように、縦向き部材がコンクリート型枠に隣接する状態で、上下反転させた嵌合部材をコンクリート型枠に直接ボルト止めすることも可能になるので、実用面では、嵌合部材を回転自在に構成するのが望ましいのである。
【課題を解決するための手段】
【０００５】
本発明は、上記のような従来の問題点を解消することのできる足場支持金具を提案するものであって、本発明に係る足場支持金具は、後述する実施例との関係を理解し易くするために、当該実施例の説明において使用した参照符号を括弧付きで付して示すと、足場板支持用水平部材(2)と、この水平部材(2)の基端部に軸支されて当該水平部材(2)の長さ方向に揺動自在に垂下する縦向き部材(4)と、前記水平部材(2)と前記縦向き部材(4)とを斜めに連結する有効長変更可能な斜め支持部材(5)、及び前記水平部材(2)の基端部に前記縦向き部材(4)と同方向に回転自在に軸支されたコの字形の嵌合部材(6)から成り、前記斜め支持部材(5)は、伸縮自在に嵌合する二重管(7)と、この二重管(7)の有効長を複数段階に変更固定する係止手段(8)とから構成されている足場支持金具(1)において、前記縦向き部材(4)に対する前記嵌合部材(6)の角度の変化に対応して、前記水平部材(2)を水平姿勢に近づけるための水平部材角度微調整手段(24)が設けられた構成になっている。
【発明の効果】
【０００６】
上記本発明の構成によれば、コンクリート型枠の外側に配設されている水平端太材が、嵌合部材の内巾に適合した巾の規定水平端太材であるときは、コンクリート型枠の傾斜角度に応じて斜め支持部材の有効長を調節し、水平部材をほぼ水平姿勢にしたときの縦向き部材の傾斜角度をコンクリート型枠の傾斜角度に合わせた状態で、嵌合部材を当該コンクリート型枠の規定水平端太材に上から嵌合させて、水平部材が所定高さでコンクリート型枠からほぼ水平に突出するように足場支持金具を取り付けることにより、当該足場支持金具の水平部材上に足場板を載置支持させることが出来る。
【０００７】
若し、コンクリート型枠の外側に配設されている水平端太材が、嵌合部材の内巾よりも大巾に巾の狭い小巾水平端太材であるときは、この小巾水平端太材に嵌合部材を上から嵌合させたとき、小巾水平端太材と嵌合部材との間の遊び代分だけ当該嵌合部材が回転して、水平部材を軸支している上端部がコンクリート型枠から離れる方向に縦向き部材が傾動し、水平部材が先端下がりに傾斜してしまうことになる。このときの水平部材の先端下がりの傾斜角度は、斜め支持部材の有効長調節最小単位の調節による水平部材の傾斜角度変化量よりも小さいときは、斜め支持部材の有効長調節によって水平部材を水平姿勢に戻すことは出来ない。従って、水平部材角度微調整手段を働かせたときの水平部材の先端上がり方向の角度変化量が、前記小巾水平端太材に嵌合部材を嵌合させたときに先端下がりに傾斜する水平部材の傾斜角度分にほぼ等しくなるように構成しておけば、小巾水平端太材に足場支持金具を支持させたときでも、水平部材角度微調整手段を働かせるだけで水平部材をほぼ水平姿勢に矯正することが出来、規定水平端太材に足場支持金具を支持させたときと同様に、足場板をほぼ水平に支持させることが出来、安全な足場を組み立てることが出来る。
【０００８】
勿論、嵌合部材を縦向き部材の上端部に固着しないで回転自在に軸支しているので、先に説明したように、この足場支持金具を保管したり運搬する場合に、コンパクトに折り畳むことが出来るばかりでなく、特許文献１にも記載されるように、縦向き部材がコンクリート型枠に隣接する状態で、上下反転させた嵌合部材をコンクリート型枠に直接ボルト止めすることも可能になる。更に、斜め支持部材の有効長調節最小単位を例えば半減させることにより、水平部材角度微調整手段を不要にすることも考えられるが、このような問題解決手段では、斜め支持部材を構成する伸縮自在な二重管の有効長を複数段階に変更固定する係止手段の構成が、例えば二重管の一方の管材に長さ方向適当間隔おきに配列される係止孔が倍増して、製造コストが増大するだけでなく強度低下を招き、この強度低下を抑制するため工夫によって更に製造コストが増大することになるが、本発明の構成によりこれらの問題点を解消出来る。
【０００９】
上記本発明を実施する場合、具体的には、前記斜め支持部材(5)の係止手段(8)は、二重管(7)の一方に設けられた１つの主係止孔(20)と、二重管(7)の多方に長さ方向適当間隔おきに設けられた複数の副係止孔(21)と、主係止孔(20)とこれに合致させた１つの副係止孔(21)とにわたって着脱自在に挿入される係止ピン(22)とから構成することが出来るが、前記水平部材角度微調整手段(24)は、前記二重管(7)の一方に、主係止孔(20)に対して前記副係止孔(21)の間隔とは異なる間隔で追加された第二主係止孔(23)によって構成することが出来る。この構成によれば、単に主係止孔を１つ追加するだけの極めて簡単で安価に実施出来る構成により所期の目的を達成することが出来る。
【００１０】
又、前記水平部材角度微調整手段(24)は、前記二重管(7)と前記縦向き部材(4)又は水平部材(2)とを連結する着脱自在な支軸(17)と、この支軸(17)が挿通される前記二重管(7)側の軸孔として、前記副係止孔(21)の間隔とは異なる間隔で設けられた２つの軸孔(36a,36b)から構成することも出来る。
【００１１】
更に、前記水平部材角度微調整手段(24)は、前記嵌合部材(6)が嵌合するコンクリート型枠(27)側の水平端太材(34a,34b)より下側にあって前記縦向き部材(4)を受け止める下側水平端太材(35)と前記縦向き部材(4)との間に介在させるスペーサー(37)から構成することも可能である。この構成によれば、従来の足場支持金具に単に１つのスペーサーを追加するだけで本発明を実施することが出来、従来の足場支持金具を活用することが出来る。この場合、前記スペーサー(37)は、前記斜め支持部材(5)の連結箇所より上側で前記縦向き部材(4)に昇降自在に外嵌する可動部材(38)と、この可動部材(38)に連設されて前記下側水平端太材(35)の上に載置される張出し部材(39)とから構成することにより、スペーサーを使用する必要がない状況では、当スペーサーを縦向き部材の下端側に移動させて斜め支持部材で受け止めさせておけば良いので、スペーサーを所定高さで縦向き部材に固定したり、使用しない場合にスペーサーを取り外さなければならない場合と比較して、構造も簡単で且つ取り扱いが容易である。
【図面の簡単な説明】
【００１２】
【図１】図１は、垂直なコンクリート型枠に取り付けた状態の足場支持金具を示す側面図である。
【図２】図２Ａは、足場支持金具の一部省略横断平面図、図２Ｂは、同足場支持金具の一部省略縦断正面図、図２Ｃは、同足場支持金具の一部省略背面図である。
【図３】図３は、足場支持金具の折り畳み状態を示す側面図である。
【図４】図４Ａは、垂直なコンクリート型枠に対する足場支持金具の使用状態を示す縦断側面図、図４Ｂは、傾斜コンクリート型枠に対する足場支持金具の使用状態を示す縦断側面図である。
【図５】図５は、足場支持金具の水平部材角度微調整手段の使用状態を示す側面図である。
【図６】図６Ａは、足場支持金具の第二実施例に係る水平部材角度微調整手段の使用状態を示す側面図、図６Ｂは、その要部の拡大断面図である。
【図７】図７Ａは、足場支持金具の第三実施例に係る水平部材角度微調整手段の使用状態を示す側面図、図７Ｂは、その要部の横断拡大平面図である。
【発明を実施するための形態】
【００１３】
以下、本発明の一実施例を図１〜図２Ｃに基づいて説明すると、足場支持金具１は、足場板支持用の水平部材２と、この水平部材２の基端部に、当該水平部材２の長さ方向に対して水平方向に直交する支軸３により軸支されて、当該水平部材２の長さ方向に揺動自在に垂下する縦向き部材４と、水平部材２と縦向き部材４とを斜めに連結する有効長変更可能な斜め支持部材５、及び前記水平部材２の基端部に前記支軸３の周りに回転自在に軸支されたコの字形の嵌合部材６から成り、斜め支持部材５は、伸縮自在に嵌合する外管７ａと内管７ｂとから成る二重管７と、この二重管７の有効長を複数段階に変更固定する係止手段８とから構成されている。
【００１４】
水平部材２は、伸縮自在に嵌合する外管９ａと内管９ｂとから成る二重管９から成り、外管９ａの後端部が水平部材２の基端部となっていて、縦向き部材４と嵌合部材６とが支軸３により軸支されている。外管９ａの前端から突出する内管９ｂには、外管９ａと同一径の短外管９ｃが固着され、この短外管９ｃの外端に手摺支柱取付け用の垂直有底管材１０の下端部が固着されている。この垂直有底管材１０の上端側には、挿入された手摺支柱を固定する手摺支柱固定ボルト１１が設けられている。尚、内管９ｂには水平直径方向両側部に長さ方向に沿ってガイドスリット１２が設けられ、このガイドスリット１２を水平に貫通する２本のピン１３が外管９ａの前端近傍位置に取り付けられ、外管９ａから引き出した内管９ｂの抜け止めと回り止めを図っている。又、内管９ｂを外管９ａに対して出し入れして二重管９（水平部材２）の全長を調節した後に外管９ａに対して内管９ｂをロックするロックボルト１４が設けられている。
【００１５】
嵌合部材６は、水平部材２（外管９ａ）を挟むように配置された側面視がコの字形の左右両側板１５における２本の脚部１５ａ，１５ｂの先端どうしをＵ字状に連結一体化したものであって、片側の脚部１５ａが水平部材２（外管９ａ）の基端部に、当該水平部材２（外管９ａ）を挟む状態で支軸３によって回転自在に軸支されており、図１に実線と仮想線で示すように、少なくとも、両脚部１５ａ，１５ｂ間の開口部が縦向き部材４の外側で下向きになる正立姿勢と、両脚部１５ａ，１５ｂ間の開口部が縦向き部材４の内側で上向きになる倒立姿勢との間で、支軸３の周りで回転することが出来る。
【００１６】
縦向き部材４は、嵌合部材６の軸支部を左右両側から挟む左右一対の棒状体１６ａ，１６ｂから構成されたもので、この左右一対の棒状体１６ａ，１６ｂの上端部が、嵌合部材６の外側に突出している支軸３によって水平部材２に対し揺動自在に軸支され、これら左右一対の棒状体１６ａ，１６ｂの下端部が、斜め支持部材５を構成する二重管７の外管７ａの外端部を左右両側から挟む状態で、当該外管７ａの外端部に支軸３と平行な支軸１７により相対揺動自在に軸支連結されている。斜め支持部材５を構成する二重管７の内管７ｂの外端部は、水平部材２を構成している二重管９の外管９ａの外端部下側に突設された軸受け部材１８に、支軸３，１７と平行な支軸１９により相対揺動自在に軸支連結されている。
【００１７】
斜め支持部材５の係止手段８は、外管７ａの内端部に設けられた１つの主係止孔２０と、内管７ｂに長さ方向一定間隔おきに設けられた複数の副係止孔２１、及び外管７ａに対して出し入れした内管７ｂの副係止孔２１の内、選択された１つの副係止孔２１を主係止孔２０と合致させた状態で、両係止孔２０，２１間にわたって挿通される係止ピン２２から構成され、この係止手段８における主係止孔２０に対し、副係止孔２１間の間隔とは異なる間隔、図示例は約０．５倍程度の間隔、で外管７ａの内端部に第二主係止孔２３を追加することにより、水平部材角度微調整手段２４が構成されている。尚、全ての係止孔２０，２１，２３は、各支軸３，１７，１９の軸心と平行な水平方向に貫通しており、係止ピン２２は、後端のＬ字形折曲端部と外管７ａに外嵌させたリング２５ａとをチエンなどの索状体２５ｂで繋ぎ止めて、紛失を防止出来るように構成している。勿論、この係止ピン２２の先端周面には、指先で退入させることが出来る抜け止め用逆止片を設けることが出来る。
【００１８】
以上のように構成された足場支持金具１の使用方法について説明すると、足場支持金具１を使用しないときは、図３に示すように、斜め支持部材５の係止ピン２２を外して、斜め支持部材５の内管７ｂから外管７ａを引き抜く方向に縦向き部材４を支軸３の周りに回転させて、斜め支持部材５の外管７ａを水平部材２の上に重ねる。このとき嵌合部材６は、支軸３の周りに回転させて、図１の仮想線で示す倒立姿勢としておくことにより、全体の長さを、垂直有底管材１０を含む水平部材２の長さとし、全体の高さを、垂直姿勢の垂直有底管材１０の高さより、水平姿勢の斜め支持部材５の内管７ｂが下側に突出する程度に抑えて、全体を運搬や保管に都合の良いサイズ、姿に変えることが出来る。
【００１９】
上記の足場支持金具１は、図４Ａに示す垂直なコンクリート型枠２６の外側、又は図４Ｂに示す傾斜するコンクリート型枠２７の外側に取り付けられて、足場板２８を支持するために使用される。図４Ａに示す垂直なコンクリート型枠２６の外側に足場支持金具１を取り付けるときは、斜め支持部材５の二重管７を引き伸ばして、内管７ｂの最も内端側に位置する副係止孔２１と外管７ａの主係止孔２０とを合致させると共に、これら両係止孔２０，２１間にわたって係止ピン２２を挿通させ、斜め支持部材５の有効長を最長にすることにより、縦向き部材４に対し水平部材２が直角外向きに突出する状態に固定される。この状態の足場支持金具１の嵌合部材６を、図１に実線で示す正立姿勢の状態で、垂直なコンクリート型枠２６の所定高さに上下２段に配設されている水平端太材２９ａ，２９ｂに上から嵌合させる。尚、水平端太材２９ａ，２９ｂの下方には、縦向き部材４に隣接出来る高さで補助の水平端太材３０が配設されている。
【００２０】
上記のように嵌合部材６を介して水平端太材２９ａに吊り下げられ且つ、水平端太材２９ａ〜２９ｃによって縦向き部材４が垂直になる姿勢で取り付けられた足場支持金具１は、その水平部材２がほぼ水平姿勢になっているので、足場板２８を水平部材２の上に載置支持させることが出来る。勿論、少なくとも足場板２８の長さ方向両端部をそれぞれ足場支持金具１の水平部材２によって支持できるように、水平部材２がほぼ同一高さに位置するように複数の足場支持金具１が適当間隔おきに取り付けられる。又、足場板２８の載置枚数を多くして足場の横巾を広くする場合は、水平部材２の二重管９における内管９ｂを引き出してロックボルト１４で固定することにより、足場板２８の載置枚数に応じて水平部材２の長さを変更することが出来る。尚、水平部材２の先端の垂直有底管材１０には、手摺用支柱３１を挿入して手摺支柱固定ボルト１１により固定することが出来、この手摺用支柱３１を利用して手摺用管材３２を水平に架設することが出来る。３３は、各足場支持金具１の垂直有底管材１０の内側に隣接して水平部材２に支持させた巾木である。
【００２１】
尚、水平端太材２９ａ，２９ｂ，３０は、規格寸法の角鋼管から成るものであり、嵌合部材６の２本の脚部１５ａ，１５ｂ間の内巾は、当該規格寸法の角鋼管から成る水平端太材２９ａ，２９ｂに対して適度な隙間を確保し、無理なく嵌合させることが出来るように設定されている。従って、図では上下両側２段の水平端太材２９ａ，２９ｂに対して嵌合部材６を嵌合支持させているが、１本の水平端太材２９ａだけを使用しても、嵌合部材６を縦向き部材４とほぼ平行な姿勢で支持させることが出来る。
【００２２】
図４Ｂに示す傾斜したコンクリート型枠２７の外側に足場支持金具１を取り付けるときは、垂直なコンクリート型枠２６の外側に足場支持金具１を取り付けるときと同様の要領で嵌合部材６を上下２段の水平端太材２９ａ，２９ｂに上から嵌合させると共に、縦向き部材４を下側の水平端太材３０に当接させる。この結果、縦向き部材４は傾斜したコンクリート型枠２７と平行な向きで支持され、水平部材２は当該縦向き部材４に対して直角向きになって、先端上がりに大きく傾斜することになる。ここで斜め支持部材５の係止手段８の係止ピン２２を一旦抜いて二重管７を伸縮自在な状態にし、当該二重管７の縮小を伴わせて水平部材２を支軸３の周りに下方へ揺動させる。そしてこの水平部材２がほぼ水平姿勢になったときに、二重管７の内管７ｂに設けられている複数の副係止孔２１の内、外管７ａの１つの主係止孔２０に合致するか又は近い位置にある１つの副係止孔２１と、外管７ａ二重管７に設けられている１つの主係止孔２０とを合致させた状態で、この両係止孔２０，２１間にわたって係止ピン２２を挿入係止することにより、斜め支持部材５の有効長を、水平部材２がほぼ水平姿勢になる状態で固定する。この後は、先の垂直なコンクリート型枠２６の外側に足場支持金具１を取り付けたときと同様に、足場板２８を水平部材２上で支持させると共に、手摺用支柱３１を介して手摺用管材３２を架設することが出来る。
【００２３】
尚、傾斜するコンクリート型枠２７の傾斜角度は、予め設定された規格角度の１つであるから、斜め支持部材５の二重管７の内管７ｂに設けられている複数の副係止孔２１の間隔は、傾斜するコンクリート型枠２７の規格傾斜角度に対応して設けることが出来るものである。
【００２４】
以上の使用例は、嵌合部材６の両脚部１５ａ，１５ｂ間の間隔に適合した規定巾の水平端太材２９ａ，２９ｂ，３０が使用される場合であるが、水平端太材として規定巾よりも大巾に巾の狭い水平端太材が使用される場合がある。図５は、前記角鋼管を利用した水平端太材２９ａ，２９ｂ，３０よりも外径の小さな丸鋼管を利用した水平端太材３４ａ，３４ｂ，３５が使用されている状況を示している。この場合は、嵌合部材６の姿勢が決まるように、上下２段に水平端太材３４ａ，３４ｂを配設することが条件になるが、当該嵌合部材６を上下２段に水平端太材３４ａ，３４ｂに上から嵌合させたとき、支軸３に作用する足場支持金具１の重量を受けて嵌合部材６が、両脚部１５ａ，１５ｂの下端がコンクリート型枠２６（又は２７）に接近する方向に支軸３の周りに回動することになる。
【００２５】
上記の結果、図５に示すように嵌合部材６は、当該嵌合部材６の外側の脚部１５ｂの上端入隅部に上段の水平端太材３４ａが当接すると共に、当該水平端太材３４ａを中心に脚部１５ａ，１５ｂの下端が傾斜したコンクリート型枠２７に接近する方向に嵌合部材６が回動するのを、下段の水平端太材３４ｂと内側の脚部１５ａとの当接により制止することにより、嵌合部材６が傾斜状態で安定することになる。この状況では、縦向き部材４の上端部は、コンクリート型枠２６（又は２７）に接している上段の水平端太材３４ａから外側に離れ、当該縦向き部材４の下端側は、コンクリート型枠２６（又は２７）に接している下側の水平端太材３５で受け止められるので、縦向き部材４がコンクリート型枠２６（又は２７）に対して上端がコンクリート型枠２６（又は２７）から離れる方向に角度θ１だけ傾斜することになる。
【００２６】
従って、先に述べたように斜め支持部材５の有効長の調節により、縦向き部材４に対して水平姿勢に角度調整された水平部材２が、角度θ１だけ先端下がりに傾斜することになるので、斜め支持部材５の有効長を、水平部材２が角度θ１だけ支軸３の周りに上動するように長さｄだけ長くする必要がある。この場合に水平部材角度微調整手段２４を使用する。即ち、斜め支持部材５の係止手段８における係止ピン２２を抜いて、二重管７における内管７ｂを外管７ａから少し引き出し、主係止孔２０に合致させていた特定副係止孔２１を第二主係止孔２３に合致させる。この状態で係止ピン２２を第二主係止孔２３と特定副係止孔２１とにわたって挿入係止させる。この結果、斜め支持部材５の有効長が、主係止孔２０と第二主係止孔２３との間の長さｄだけ長くなって、水平部材２が角度θ１だけ支軸３の周りに上動して水平姿勢に矯正される。
【００２７】
例えば丸鋼管を利用した小巾の水平端太材３４ａ，３４ｂ，３５も規格品であって、巾（直径）も決まっているので、この水平端太材３４ａ，３４ｂ，３５を使用した時の水平部材２の先端下がりの傾斜角度θ１も決まっており、この水平部材２を水平姿勢に復帰させるための斜め支持部材５の有効長の増大長さｄも決まることになるので、前記主係止孔２０と第二主係止孔２３との間隔も一定になる。尚、斜め支持部材５の有効長を長さｄだけ調整することが出来れば良いので、水平部材角度微調整手段２４における第二主係止孔２３の位置は、上記実施例に示した位置には限定されない。例えば、斜め支持部材５の有効長を、縦向き部材４と水平部材２との間の角度が最大の９０度になるようにセットしたとき、主係止孔２０に合致する副係止孔２１が、内管７ｂの最先端の副係止孔２１より１つ手前の副係止孔２１となるように構成した場合は、主係止孔２０に対して第二主係止孔２３の位置を、外管７ａの外端部（支軸１７のある端部）側に離して設けることも出来る。更に、主係止孔２０と第二主係止孔２３との間隔も、副係止孔２１の間隔よりも狭い間隔に限定されない。例えば、外管７ａや内管７ｂの長さを長くすることが出来るならば、主係止孔２０と第二主係止孔２３との間隔を副係止孔２１の間隔よりも広くすることも出来る。
【００２８】
水平部材角度微調整手段２４は、上記実施例に示したものに限定されない。例えば図６に示すように、斜め支持部材５の二重管７における外管７ａの外端部に、縦向き部材４の下端部に軸支する支軸１７の軸孔として、前記長さｄだけ外管７ａの長さ方向に間隔を隔てて２つの軸孔３６ａ，３６ｂを設け、通常は、２つの軸孔３６ａ，３６ｂの内、外管７ａの外端から離れている側の軸孔３６ａを利用して、斜め支持部材５の下端部を縦向き部材４の下端部に支軸１７により軸支し、先のように水平部材２を角度θ１だけ先端上がりに角度調整するときは、２つの軸孔３６ａ，３６ｂの内、外管７ａの外端に近い側の軸孔３６ｂを利用して、斜め支持部材５の下端部を縦向き部材４の下端部に支軸１７により軸支すれば良い。この実施例は、斜め支持部材５の二重管７における内管７ｂの外端部を水平部材２側の軸受け部材１８に軸支する支軸１９の軸孔に応用することも出来る。
【００２９】
更に、水平部材角度微調整手段２４の別実施例を図７に基づいて説明すると、この実施例では、嵌合部材５が嵌合するコンクリート型枠２６（又は２７）側の水平端太材２９ａ，２９ｂ（又は３４ａ，３４ｂ）より下側にあって、縦向き部材４を受け止める下側水平端太材３０（又は３５）と当該縦向き部材４との間に介在させるスペーサー３７を使用する。具体的には、前記スペーサー３７は、斜め支持部材５と縦向き部材４との連結支軸１７より上側で縦向き部材４に昇降自在に外嵌するリップ付き溝形鋼利用の可動部材３８と、この可動部材３８に連設されて下側水平端太材３５の上に載置されるアングル材利用の張出し部材３９とから構成されたものであって、下側水平端太材３５と当該縦向き部材４との間に介在させるスペーサー部分は、前記可動部材３８の背板部３８ａと、この背板部３８ａの外側に重なる張出し部材３９の垂直板部３９ａとで構成されている。
【００３０】
上記のスペーサー３７を利用した水平部材角度微調整手段２４においては、通常は、スペーサー３７を下側水平端太材３０より下側に降下させて、斜め支持部材５で支持させておき、先のように水平部材２を角度θ１だけ先端上がりに角度調整するときは、スペーサー３７を下側水平端太材３５より上方に上げた状態で嵌合部材６を水平端太材３４ａ，３４ｂに嵌合させて足場支持金具１を吊り下げ、この後、足場支持金具１を嵌合部材６に対し支軸３の周りに回転させるように持ち上げ、スペーサー３７を縦向き部材４に沿って降下させ、張出し部材３９を下側水平端太材３５の上に載置させて、スペーサー３７の可動部材３８の背板部３８ａと、この背板部３８ａの外側に重なる張出し部材３９の垂直板部３９ａとを、縦向き部材４と下側水平端太材３５との間に介在させる。この結果、縦向き部材４は、スペーサー３７の可動部材３８の背板部３８ａと、この背板部３８ａの外側に重なる張出し部材３９の垂直板部３９ａとの厚み分だけ、下側水平端太材３５から外側へ押し出され、図５の角度θ１だけ支軸３を中心に外側へ角度調整され、その結果、水平部材２がほぼ水平姿勢に矯正されることになる。
【００３１】
水平部材角度微調整手段２４としてのスペーサー３７の構成は、如何なるものでも良い。例えば、下側水平端太材３５に取り付けるタイプのもの、例えば下側水平端太材３５に上から嵌合させるＵ字形部材から成るスペーサーも利用出来る。又、足場支持金具１側に装備させておくタイプのスペーサーとしても、縦向き部材４に昇降自在に外嵌させた筒状スペーサーを下側水平端太材３５に隣接する高さでロックボルトにより縦向き部材４に固定するようなスペーサーであっても良い。尚、実施例に示した嵌合部材６は、図１の仮想線で示す倒立姿勢に回転させた状態で、その両脚部１５ａ，１５ｂの先端Ｕターン部を利用して、当該両脚部１５ａ，１５ｂの先端を、従来周知のようにシーボルトによりコンクリート壁面に直接取り付けることが出来るものである。
【産業上の利用可能性】
【００３２】
本発明の足場支持金具は、コンクリート型枠の外側に配設された水平端太材に取り付ける足場支持金具であって、前記水平端太材が小巾（小径）のものに代えられたために、足場板支持用の水平部材が先端下がりに傾斜してしまうような状況においても、前記支持部材を簡単に水平状態に矯正して、安全に使用出来る足場支持金具として活用出来る。
【符号の説明】
【００３３】
１    足場支持金具
２    水平部材
３，１７，１９    支軸
４    縦向き部材
５    斜め支持部材
６    嵌合部材
７，９    二重管
８    係止手段
１０    垂直有底管材
１５ａ，１５ｂ    嵌合部材の脚部
１６ａ，１６ｂ    縦向き部材を構成する棒状体
１８    軸受け部材
２０    主係止孔
２１    副係止孔
２２    係止ピン
２３    第二主係止孔
２４    水平部材角度微調整手段
２６    垂直なコンクリート型枠
２７    傾斜するコンクリート型枠
２８    足場板
２９ａ，２９ｂ，３０，３４ａ，３４ｂ，３５    水平端太材
３６ａ，３６ｂ    支軸挿通用の軸孔
３７    スペーサー
３８    可動部材
３８ａ    背板部
３９    張出し部材
３９ａ    垂直板部３９ａ
【図１】
2019060187.tif 000003
【図２】
2019060187.tif 000004
【図３】
2019060187.tif 000005
【図４】
2019060187.tif 000006
【図５】
2019060187.tif 000007
【図６】
2019060187.tif 000008
【図７】
2019060187.tif 000009